(57)【要約】【課題】電源線接続作業及び製造が容易な換気扇を得ること。【解決手段】換気扇は、フランジ部を備える本体フレームと、本体フレームに支持された送風機と、フランジ部に設置され、外部電源に通じる外部電源線と送風機に通じる内部電源線とを電気的に接続する電源接続装置１６とを有し、電源接続装置１６は、内部電源線に接続された導電板２１と、導電板２１を収容し、一端部２７ａ側の第１の部分に内部電源線が引き込まれ、他端部２７ｂ側の第２の部分に外部電源線が挿抜され、挿入された外部電源線を導電板２１に接続する端子台２７を備え、端子台２７の第１の部分には、外部電源線の挿抜方向と垂直な方向に回転軸を有する軸部１８ｂ，１９ａが設けられており、フランジ部は、端子台２７が回転可能に軸部１８ｂ，１９ａを支持する軸受部を備え、内部電源線は、軸部１８ｂ，１９ａの軸方向から端子台２７の第１の部分に引き込まれる。【選択図】図５
2019090575.tif 000002
【特許請求の範囲】
【請求項１】
筒状の風路に挿入される風洞及び前記風洞の端部から張り出すフランジ部を備える本体フレームと、前記本体フレームに支持された送風機と、前記フランジ部に設置され、外部電源に通じる外部電源線と前記送風機に通じる内部電源線とを電気的に接続する電源接続装置とを有し、
前記電源接続装置は、
前記内部電源線に接続された導電板と、
前記導電板を収容し、一端部側の第１の部分に前記内部電源線が引き込まれ、他端部側の第２の部分に前記外部電源線が挿抜され、前記第２の部分に挿入された前記外部電源線を前記導電板に接続する端子台を備え、
前記端子台の前記第１の部分には、前記外部電源線の挿抜方向と垂直な方向に回転軸を有する軸部が設けられており、
前記フランジ部は、前記端子台が回転可能に前記軸部を支持する軸受部を備え、
前記内部電源線は、前記軸部の軸方向から前記端子台の前記第１の部分に引き込まれることを特徴とする換気扇。
【請求項２】
前記端子台は、前記内部電源線を引き回す空間が、前記第１の部分に設けられていることを特徴とする請求項１に記載の換気扇。
【請求項３】
前記端子台は、起立保持用リブを備え、
前記フランジ部は、前記外部電源線の挿抜方向が前記風洞の軸方向と一致する回転位置で前記起立保持用リブと係合する係合部を備えることを特徴とする請求項１又は２に記載の換気扇。
【請求項４】
前記端子台は、外郭部と前記軸部とが一体であることを特徴とする請求項１から３のいずれか１項に記載の換気扇。
【請求項５】
前記端子台は、ケースと、前記ケースに嵌合するカバーとを有し、
前記軸部は、円筒状であり、前記ケースと前記カバーとに跨がって形成されており、
前記内部電源線は前記軸部の内部を通して前記端子台の前記第１の部分に引き込まれることを特徴とする請求項１から４のいずれか１項に記載の換気扇。
【請求項６】
前記ケース及び前記カバーは、難燃性樹脂製であることを特徴とする請求項５に記載の換気扇。
【発明の詳細な説明】
【技術分野】
【０００１】
本発明は、導電板を収納した端子台を備えた換気扇に関する。
【背景技術】
【０００２】
特許文献１には、電源接続端子を収納して構成される端子台をフランジ部の背面に備えた換気扇が開示されている。フランジ部の背面に端子台を備えた換気扇の中には、端子台を収容する保護ケースを有し、端子台に電源線を接続する際には、保護ケースを回転及び直立させて、保護ケースの開口部から露出する端子台の電源線挿入穴に電源線を挿入するものがある。
【先行技術文献】
【特許文献】
【０００３】
【特許文献１】特開２０００−１２１１１９号公報
【発明の概要】
【発明が解決しようとする課題】
【０００４】
端子台を収容する保護ケースを有し、端子台に電源線を接続する際に、保護ケースを回転及び直立させる換気扇は、保護ケースに回転及び直立の機能を持たせることで、電線線接続時の作業性改善を図っている。しかしながら、保護ケースの部品数が多くなり、換気扇の組立工数が増大して製造時に作業性が低下する原因となっている。
【０００５】
本発明は、上記に鑑みてなされたものであって、電源線接続作業及び製造が容易な換気扇を得ることを目的とする。
【課題を解決するための手段】
【０００６】
上述した課題を解決し、目的を達成するために、本発明は、筒状の風路に挿入される風洞及び風洞の端部から張り出すフランジ部を備える本体フレームと、本体フレームに支持された送風機と、フランジ部に設置され、外部電源に通じる外部電源線と送風機に通じる内部電源線とを電気的に接続する電源接続装置とを有する。電源接続装置は、内部電源線に接続された導電板と、導電板を収容し、一端部側の第１の部分に内部電源線が引き込まれ、他端部側の第２の部分に外部電源線が挿抜され、第２の部分に挿入された外部電源線を導電板に接続する端子台を備える。端子台の第１の部分には、外部電源線の挿抜方向と垂直な方向に回転軸を有する軸部が設けられている。フランジ部は、端子台が回転可能に軸部を支持する軸受部を備える。内部電源線は、軸部の軸方向から端子台の前記第１の部分に引き込まれる。
【発明の効果】
【０００７】
本発明によれば、電源線接続作業及び製造が容易な換気扇を得られるという効果を奏する。
【図面の簡単な説明】
【０００８】
【図１】本発明の実施の形態１に係る換気扇の取り付け状態を示す断面図
【図２】実施の形態１に係る換気扇の背面図
【図３】実施の形態１に係る換気扇の電源接続装置の側断面図
【図４】実施の形態１に係る換気扇の電源接続装置の斜視図
【図５】実施の形態１に係る換気扇の電源接続装置の分解斜視図
【図６】実施の形態１に係る換気扇の電源接続装置の断面図
【発明を実施するための形態】
【０００９】
以下に、本発明の実施の形態に係る換気扇を図面に基づいて詳細に説明する。なお、この実施の形態によりこの発明が限定されるものではない。
【００１０】
実施の形態１．
図１は、本発明の実施の形態１に係る換気扇の取り付け状態を示す断面図である。図２は、実施の形態１に係る換気扇の背面図である。図３は、実施の形態１に係る換気扇の電源接続装置の側断面図である。図４は、実施の形態１に係る換気扇の電源接続装置の斜視図である。図５は、実施の形態１に係る換気扇の電源接続装置の分解斜視図である。図６は、実施の形態１に係る換気扇の電源接続装置の断面図である。
【００１１】
実施の形態１に係る換気扇５０は、室内外を連通させるパイプ１又は室内外を連通させるダクトに室内側から挿入して装着される。実施の形態１に係る換気扇５０は、樹脂製の本体フレーム３に、プロペラ式の羽根車４及び電動機５を備えた送風機が組み付けられた本体６と、化粧グリル７とを有する。本体フレーム３は、筒状の風路であるパイプ１に挿入する円筒状の風洞２を有する。風洞２の前部には、吸込口となるベルマウス形状の開口部８が設けられている。本体フレーム３は、開口部８の口縁部に、前面構造が一体に形成されている。前面構造は、風洞２の端部から拡径方向に張り出し外形形状が正方形のフランジ部９と、フランジ部９の端縁に形成され背面側へ突出した立ち上がり部１０とを有する。立ち上がり部１０は、室内側の壁面に端面が当接する。なお、フランジ部９の外形形状は、円形であってもよい。フランジ部９は、背面側に閉端接続端子といった電機接続部品を収納しており、スイッチ導体部及びリード線結線部への接触防止のため結線部保護カバー１７を備えている。フランジ部９の背面側には、回転式構造で外部電源線２５を容易に接続可能な電源接続装置１６が設置されている。送風機は、本体フレーム３の風洞２の室外側に設けられた電動機取付構造部２６に取り付けられている。
【００１２】
電動機取付構造部２６は、円周方向に間隔を空けて風洞２の中心線方向に沿って背面側に延びる四本の脚部１１と、脚部１１の端部から半径方向内側に延びる橋絡部１２によって風洞２の中心に支持された電動機カバー１３とを備える。四本の脚部１１は、いずれも風洞２の外周よりも内側にあり、そのうちの一本の外側に、半径方向への拡開弾力により本体６をパイプ１内又はダクト内に保持する反り付きの板ばね１４が装着されている。
【００１３】
電動機５は、電動機取付構造部２６にねじで固定されており、電動機５の外殻のフランジにおいて、シャフト１５が電動機カバー１３の先から風洞２の中心線上に突き出している。そして、電動機５の風洞２内の中心線上に延出するシャフト１５には、羽根車４が装着されている。羽根車４は、風洞２の内側に配置されている。化粧グリル７は、本体フレーム３の前面構造であるフランジ部９及び立ち上がり部１０を被覆する構造となっており、爪嵌合によって本体６に取付けられる。
【００１４】
換気扇５０に備え付けられる電源接続装置１６は、単相２線式のものである。図３に示すように、電源接続装置１６は、フランジ部９の背面側に図３の矢印Ａに示す方向に回転可能に取り付けられている。電源接続装置１６は、起立状態で外部電源線２５の結線作業が可能であり、電源接続時の作業性の向上を図れる。
【００１５】
電源接続装置１６は、難燃性樹脂製のケース１８及びカバー１９によって形成される端子台２７を備えている。端子台２７は、送風機に通じる内部電源線２４が接続された導電板２１を収容している。導電板２１と内部電源線２４との固定方法には、スポット溶接及びはんだ付けを例示できる。内部電源線２４は、電動機５に接続されたスイッチから引き回されるリード線を含む。端子台２７は、一端部２７ａ側の第１の部分に内部電源線２４が引き込まれ、他端部２７ｂ側の第２の部分に外部電源に通じる外部電源線２５が挿抜される。外部電源線２５には、ビニル絶縁ビニルシース平形ケーブルを適用できるが、これに限定されない。板ばね２０及び導電板２１は、端子台２７の一部分であるケース１８の内部に配置されている。板ばね２０は、導電板２１にばね圧で接している。外部電源線２５を外部電源線挿入穴２２から端子台２７の第２の部分に挿入することにより、板ばね２０と導電板２１との間に外部電源線２５が挟み込まれ、端子台２７の第２の部分に挿入された外部電源線２５が導電板２１に接続される。したがって、外部電源線２５を外部電源線挿入穴２２から端子台２７の第２の部分に挿入することにより、電動機５を始めとする内部の電気部品と外部電源線２５とが電気的に接続される。
【００１６】
ケース１８は、爪と穴との嵌め合いにてカバー１９と組立可能とした樹脂成形品である。ケース１８には、板ばね２０及び導電板２１が組み込まれる。ケース１８は、底面１８１と、外部配線側の壁面１８２と、底面１８１及び壁面１８２に隣接する壁面１８３，１８４とを有する箱型の樹脂成形部品である。壁面１８２は、外部電源線２５を挿入可能な外部電源線挿入穴２２が形成されている。ケース１８の一端部２７ａ側の第１の部分には、導電板２１に固定された内部電源線２４を湾曲させるための空間１８ａと、外部電源線２５の挿抜方向と垂直方向に延びる半円筒形状の軸部１８ｂとが設けられている。軸部１８ｂは、空間１８ａと繋がっているため、軸部１８ｂの軸方向に沿ってケース１８に内部電源線２４を引き込める。
【００１７】
図６に示すように、ケース１８の外部電源線挿入穴２２は、外部電源線２５の導体部のみが挿入可能な導線挿入穴２９と、外部電源線２５の導体部の外側に形成された被覆も挿入可能な電源線被覆挿入穴２８と、の２段階で形成されている。導線挿入穴２９の径より太い外部電源線２５は、被覆が電源線被覆挿入穴２８の縁に当ることにより、外部電源線２５の押込みすぎによる内部部品の変形などを抑制するための構造となっている。
【００１８】
端子台２７の一部分であるカバー１９は、ケース１８のツメ部に嵌め合わせ係止めされることにより、導電板２１及び板ばね２０をケース１８内に収容させる樹脂成形品である。カバー１９は、天面１９１と、内部配線側の壁面１９２と、天面１９１及び壁面１９２に隣接する壁面１９３，１９４とを有する箱型の樹脂成形部品である。カバー１９は、一端部２７ａ側の第１の部分に、ケース１８の軸部１８ｂと同じ端面及び外周面を有する半円筒形状の軸部１９ａと、軸部１９ａと同軸で逆方向に延びるリブ１９ｂと、リブ１９ｂと同じ壁面に形成された起立保持用リブ１９ｃとを備える。カバー１９をケース１８に装着することにより、軸部１８ｂと軸部１９ａとが合わさって、円筒状となる。端子台２７は、フランジ部９に設けられた軸受部３１において軸部１８ｂ，１９ａが支持されることによって、回転可能となっている。端子台２７の回転の軸と同じ位置で内部電源線２４を端子台２７に引き込むことにより、端子台２７を回転させても内部電源線２４に曲げ応力が加わりにくくなり、断線が発生する可能性を低減できる。
【００１９】
内部電源線２４は、軸部１８ｂ及び軸部１９ａが合わさって形成される円筒の内部を通って端子台２７に引き込まれている。したがって、ケース１８とカバー１９とを分離すれば、内部電源線２４を穴に通す作業を行わなくても内部電源線２４を端子台２７に引き込める。
【００２０】
端子台２７は、軸部１８ｂ，１９ａ及びリブ１９ｂの部分で回転可能に支持されている。リブ１９ｂを半円柱状とすることで、フランジ部９側の軸穴とのクリアランスを確保できるため、外部電源線２５を端子台２７に挿入した後でも、端子台２７を回転させやすくなる。端子台２７は、起立保持用リブ１９ｃとフランジ部９に設けられた係合部３０とによって起立状態で固定可能である。したがって、ユーザは、端子台２７を起立状態に固定して外部電源線２５の結線作業を行える。端子台２７とは別体の保護カバーが存在しないため、保護カバーを備えた構造と比較すると、組立時の作業が容易である。
【００２１】
ケース１８の底面１８１及び壁面１８２，１８３，１８４とカバー１９の天面１９１及び壁面１９２，１９３，１９４とは、端子台２７の外郭部をなしている。したがって、端子台２７は、外郭部と軸部１８ｂ，１９ａとが一体となっている。外郭部と軸部１８ｂ，１９ａとが一体であることにより、外郭部に軸部１８ｂ，１９ａを取り付ける作業が不要となり、端子台２７の組立が容易となる。
【００２２】
導電板２１は、プレス加工で打ち抜いたＵ字形状の金属板である。導電板２１は、外部電源線２５が板ばね２０により押し当てられることにより、内部電源線２４と外部電源線２５とを電気的に接続させる。
【００２３】
板ばね２０は、ばね材を屈曲させた形状であり、導電板２１との間に外部電源線２５が押し込まれると、外部電源線２５の軸芯から遠ざかる方向に弾性変形する。外部電源線２５が挿入された後は、導電板２１へ外部電源線２５を押し付けて電気的に接続させる。外部電源線２５は、板ばね２０で導電板２１に押し付けられた状態では、外部電源線２５の導体部に板ばね２０が食い込むため、外部電源線２５が抜けることはない。解放穴２３に棒状の部材を挿入し板ばね２０と導電板２１との隙間を拡げると、外部電源線２５と板ばね２０との間に隙間が生じ、外部電源線２５を端子台２７から抜くことができる。
【００２４】
実施の形態１に係る換気扇５０は、端子台２７自体が回転及び起立を可能とする構造を備えるため、保護カバーを用いずとも端子台２７を回転及び起立させることができる。
【００２５】
上記の説明において、ケース１８とカバー１９とに半円筒状の軸部１８ｂ，１９ａが設けられていたが、ケース１８及びカバー１９の一方に円筒状の軸部を設けてもよい。
【００２６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２７】
１  パイプ、２  風洞、３  本体フレーム、４  羽根車、５  電動機、６  本体、７  化粧グリル、８  開口部、９  フランジ部、１０  立ち上がり部、１１  脚部、１２  橋絡部、１３  電動機カバー、１４，２０  板ばね、１５  シャフト、１６  電源接続装置、１７  結線部保護カバー、１８  ケース、１８ａ  空間、１８ｂ，１９ａ  軸部、１９  カバー、１９ｂ  リブ、１９ｃ  起立保持用リブ、２１  導電板、２２  外部電源線挿入穴、２３  解放穴、２４  内部電源線、２５  外部電源線、２６  電動機取付構造部、２７  端子台、２７ａ  一端部、２７ｂ  他端部、２８  電源線被覆挿入穴、２９  導線挿入穴、３０  係合部、３１  軸受部、５０  換気扇、１８１  底面、１８２，１８３，１８４，１９２，１９３，１９４  壁面、１９１  天面。
【図１】
2019090575.tif 000003
【図２】
2019090575.tif 000004
【図３】
2019090575.tif 000005
【図４】
2019090575.tif 000006
【図５】
2019090575.tif 000007
【図６】
2019090575.tif 000008